(57)【要約】      （修正有） 【課題】１枚のシートから構成され、低コストでありながら、人目を惹きつける立体感を演出することが出来る自立型広告表示体を提供する。【解決手段】印刷が施された１枚のシートを切り抜き形成され、一定方向に複数回折り畳み、係止手段１２によって端部を係止することにより、自立可能に形成される自立型広告表示体１０であって、シートの両面には、印刷により表示物１４が形成され、一面には背景が印刷された背景形成面部１７と、背景形成面部に連接され、面の一部が切抜きされた窓形成面部１８と、窓形成面部にシート本体外方に突出するように連接され、窓形成面部よりも小さい面積で形成された突状面部２０とを有しており、突状面部は、窓形成面部との境界線で折り畳むことにより、窓形成面部と背景形成面部との間に出現するように配されている。【選択図】図１
0003195059.tif 000002
【実用新案登録請求の範囲】
【請求項１】
印刷が施された１枚のシートを切り抜き形成され、一定方向に複数回折り畳み、係止手段によって端部を係止することにより、自立可能に形成される自立型広告表示体であって、
上記シートの両面には、印刷により表示物が形成され、一面には背景が印刷された背景形成面部と、上記背景形成面部に連接され、面の一部が切抜きされた窓形成面部と、上記窓形成面部にシート本体外方に突出するように連接され、上記窓形成面部よりも小さい面積で形成された突状面部とを有しており、
上記突状面部は、上記窓形成面部との境界線で折り畳むことにより、上記窓形成面部と上記背景形成面部との間に出現するように配されていることを特徴とする自立型広告表示体。
【請求項２】
上記シートは、さらに面の一部が切抜きされると共に、上記窓形成面部の幅寸法よりも大きい幅寸法で形成された第二窓形成面部が連接されており、上記第二窓形成面部は、上記背景形成面部と上記突状面部の間に湾曲して配されていることを特徴とする請求項１に記載の自立型広告表示体。
【請求項３】
上記シートは、紙製であって長方形状に形成されていることを特徴とする請求項１または２の何れか１項に記載の自立型広告表示体。
【請求項４】
上記係止手段は、上記シートの長さ方向一端部に形成された係合舌片と、上記シートに形成された上記係合舌片が係合されるスリットにより形成されることを特徴とする請求項１〜３の何れか１項に記載の自立型広告表示体。
【請求項５】
上記係合舌片は、先端側に向うに連れて幅寸法が大きくなるように形成されていることを特徴とする請求項４に記載の自立型広告表示体。
【考案の詳細な説明】
【技術分野】
【０００１】
本考案は、自立型広告表示体の改良に関するものである。
【背景技術】
【０００２】
自立型表示体は、種々の印刷を施して、おみやげやグッズとして、あるいは小売店などにおける商品の広告宣伝の目的などにおいて利用されて来た。例えば、小売店などにおける商品の広告宣伝目的における利用としては、商品説明や来店客の目を惹く印刷を自立型表示体に施し、商品近傍に設置して、来店客が商品を認識する頻度を高めることにより、商品の売り上げの向上が期待出来るものである。
【０００３】
近年においては、自立型表示体は単に印刷を施すのみに止まらず、複雑な形状を施し、立体感を演出することにより、来店客の目を惹いて商品へと誘導する作用を高めたものが知られており、このような観点より特許調査を行った結果、特許文献１のような発明が公開されていることが判明した。
【０００４】
しかしながら、特許文献１に係る自立型表示体は、立体感を得ることが出来る一方で、複数の部材から構成されており、製造コストが嵩む。
【０００５】
販促活動に用いられる自立型表示体は、一般に各店舗の売場に設置され、一定の数量を必要するために、少しでも低コストなものを使用したいという要望があった。
【０００６】
そこで、立体的な表示を可能としながらも低コストで製造出来る自立型表示体として、１枚のシートを折り畳んで形成する自立型表示体について、さらに調査を行ったところ、特許文献２が確認された。
【０００７】
上記特許文献２は、１枚のシートを折り曲げて角柱形状を形成し、上記角柱形状の１面に窓孔を施し、さらに窓孔越しに見える箇所には背景を施し、窓孔が形成された面Ａと背景が形成された面Ｂが離間していることにより、遠近感を演出して、立体的にみせることが出来る。
【０００８】
しかしながら、特許文献２においては、窓孔を有する面Ａと、背景を有する面Ｂとの２面により、遠近感を演出して立体的にみせるため、例えば、来店客の目を惹きつけるほどに立体感を得られるものではなかった。
【特許文献１】公開特許第２０００−００３１３０号公報
【特許文献２】公開実用新案第昭３８−０１８５２５号公報
【考案の開示】
【考案が解決しようとする課題】
【０００９】
そこで、本考案は、このような従来の要請に基づくものであって、１枚のシートから構成され、低コストでありながら、人目を惹きつける立体感を演出することが出来る自立型広告表示体を提供することを課題とする。
【課題を解決するための手段】
【００１０】
上記課題を解決するために、請求項１に記載の自立型広告表示体にあっては、印刷が施された１枚のシートを切り抜き形成され、一定方向に複数回折り畳み、係止手段によって端部を係止することにより、自立可能に形成される自立型広告表示体であって、上記シートの両面には、印刷により表示物が形成され、一面には背景が印刷された背景形成面部と、上記背景形成面部に連接され、面の一部が切抜きされた窓形成面部と、上記窓形成面部にシート本体外方に突出するように連接され、上記窓形成面部よりも小さい面積で形成された突状面部とを有しており、上記突状面部は、上記窓形成面部との境界線で折り畳むことにより、上記窓形成面部と上記背景形成面部との間に出現するように配されていることを特徴とする。
【００１１】
上記請求項１に記載の自立型広告表示体にあっては、突状面部は、窓形成面部との境界線で折り畳むことにより、窓形成面部と背景形成面部との間に出現する。従って、窓形成面部の窓よりも奥側には突状面部、突状面部よりも奥側には背景形成面部が配置される。
【００１２】
請求項２に記載の自立型広告表示体にあっては、上記シートは、さらに面の一部が切抜きされると共に、上記窓形成面部の幅寸法よりも大きい幅寸法で形成された第二窓形成面部が連接されており、上記第二窓形成面部は、上記背景形成面部と上記突状面部の間に湾曲して配されていることを特徴とする。
【００１３】
従って、請求項２に記載の自立型広告表示体にあっては、第二窓形成面部が背景面部と突状面部の間に湾曲して配置されることにより、窓形成面部の窓の奥側には突状面部、突状面部の奥側には第二窓形成面部、第二窓形成面部の奥側には背景面部が形成される。
【００１４】
請求項３に記載の自立型広告表示体にあっては、上記シートは、紙製であって長方形状に形成されていることを特徴とする。
【００１５】
請求項４に記載の自立型広告表示体にあっては、上記係止手段は、上記シートの長さ方向一端部に形成された係合舌片と、上記シートに形成された上記係合舌片が係合されるスリットにより形成されることを特徴とする。
【００１６】
従って、請求項４に記載の自立型広告表示体にあっては、一定方向に複数回折り畳まれたシートは、係合舌片をスリットに係合することにより係止される。
【００１７】
上記係合舌片は、先端側に向うに連れて幅寸法が大きくなるように形成されていることを特徴とする。
【００１８】
従って、請求項５に記載の自立型広告表示体にあっては、係合舌片は、先端側に向うに連れて幅寸法が大きくなるように形成されているため、スリットから係合舌片を引抜く際には、係合舌片の先端側がスリット長さ方向端部に接触する。
【考案の効果】
【００１９】
請求項１に記載の自立型広告表示体にあっては、両面に印刷により表示物が形成された１枚のシートを切り抜き形成され、一定方向に複数回折り畳み、係止手段によって端部を係止することにより、形成されるため、従来からの印刷機などを利用して生産することが出来ると共に、１枚のシートから構成されるため、複数の部材を用いるものと比較して低コストである。
【００２０】
突状面部は、窓形成面部と背景形成面部との間に出現することから、利用者が窓形成面部の窓より覗き見た際には、窓形成面部の窓の奥側には突状面部、突状面部の奥側には背景形成面部が形成されており、遠近感を与えることにより、立体的に演出することが出来るため、例えば、小売店などにおいては、来店客の目を惹きつけることが出来る。
【００２１】
請求項２に記載の自立型広告表示体にあっては、窓形成面部の窓の奥側には突状面部、突状面部の奥側には第二窓形成面部、第二窓形成面部の奥側には背景面部が形成されるため、４面によって遠近感を与えることが出来るため、より立体的に演出することができ、例えば、小売店などにおいては、さらに効率的に来店客の目を惹きつけることが出来る。
【００２２】
また、第二窓形成面部が湾曲して配されることにより、湾曲による反発力が作用して、自立型広告表示体を内方より外方に向って支持するため自立型広告表示体の強度を向上させることが出来る。
【００２３】
請求項３に記載の自立型広告表示体にあっては、上記シートは、紙製であるため、より低コストに生産することが出来る。
【００２４】
請求項４に記載の自立型広告表示体にあっては、一定方向に複数回折り畳まれたシートは、係合舌片をスリットに係合することにより係止されるため、例えば、糊などを別途用意する必要が無く、簡単に係止して組み立てることが可能である。
【００２５】
請求項５に記載の自立型広告表示体にあっては、係合舌片は、先端側に向うに連れて幅寸法が大きくなるように形成され、スリットから係合舌片を引抜く際には、係合舌片の先端側がスリット長さ方向端部に接触するために、一旦係止をすると外れ難いため、予期せず係止が解けて展開してしまうことを抑制することが出来る。
【図面の簡単な説明】
【００２６】
【図１】本考案に係る自立型広告表示体の一実施の形態を示し、展開図の一面である。
【図２】本考案に係る自立型広告表示体の一実施の形態を示し、図１の展開図を長さ方向に反転させた展開図の他面である。
【図３】本考案に係る自立型広告表示体の一実施の形態を示した窓形成面部側からの斜視図である。
【図４】本考案に係る自立型広告表示体の一実施の形態を示した背景形成面部側からの斜視図である。
【図５】本考案に係る自立型広告表示体の一実施の形態を示した平面図である。
【考案を実施するための最良の形態】
【００２７】
以下、本考案に係る自立型広告表示体１０を実施の形態に基づき、図面を参照して詳細に説明する。
図１〜図５に示すように本考案に係る自立型広告表示体１０は、印刷が施された１枚のシート１１を切り抜き形成され、一定方向に複数回折り畳み、係止手段１２によって端部１３を係止することにより、自立可能に形成されている。
上記シート１１は、紙製であって長方形状に形成されている。
【００２８】
上記シート１１の両面には、印刷により表示物１４が形成され、一面１５には背景１６が印刷された背景形成面部１７と、上記背景形成面部１７に連接され、面の一部が切抜きされた窓形成面部１８と、上記窓形成面部１８にシート本体１９外方に突出するように連接され、上記窓形成面部１８よりも小さい面積で形成された突状面部２０とを有している。背景１６には、建物と森林などの風景が描かれている。
【００２９】
図２に示すように上記背景形成面部１７は、他面３０には商品説明３１や商品写真３２の表示物１４が印刷されている。上記背景形成面部１７は、幅寸法１１０ｍｍに形成されると共に、組み立て時には、図５に示すように、上記幅方向の中央線３５で折り畳まれて平面視において略くの字形状の背面パネル部４０を形成する。
【００３０】
上記窓形成面部１８は、幅寸法７４ｍｍに形成されると共に、幅方向において、上記背景形成面部１７に隣接しており、組み立て時には、連接線２１に沿って折り畳まれ、上記背景形成面部１７と共に全体略三角柱状の本体部４１を形成する。上記窓形成面部１８は、中央には切抜きにより略長方形状の窓部２２が形成されており、上記窓部２２の下端の一側面側には、他面３０には犬の頭部３３の表示物１４が描かれ、上記犬の頭部３３の形状に形成されて、上記窓部２２中央側に突出して配された突出部２３を有している。
【００３１】
上記突状面部２０は、上記窓形成面部１８の下方に連接されて上記シート１１の外方に突出するように設けられている。図３〜図５に示すように、組み立て時には、上記突状面部２０は、上記窓形成面部１８との境界線３６でシート本体１９の内方へ折り畳むことにより、上記窓形成面部１８内において、上記窓形成面部１８と同一面上に出現するように配されている。
【００３２】
また、上記突状面部２０は、先端に向うにつれて幅狭となり、上記窓形成面部１８の幅方向において、上記突出部２３とは対向する他側面に向って他側面が収斂する略台形状に形成され、一面１５には人物３４が描かれており、上記人物３４の形状に切り抜かれている。
【００３３】
図１〜図５に示すように、上記シート１１は、さらに面の一部が切抜きされると共に、上記窓形成面部１８の幅寸法よりも大きい幅寸法で形成された第二窓形成面部２５が連接されており、上記第二窓形成面部２５は、上記背景形成面部１７と上記突状面部２０の間に湾曲して配されている。
【００３４】
上記第二窓形成面部２５は、幅寸法９２ｍｍに形成されており、上記窓形成面部１８の幅寸法７４ｍｍよりも大きい幅寸法に形成されている。また、上記第二窓形成面部２５は、幅方向における第二連接線３７において上記窓形成面部１８と連接している。
上記第二窓形成面部２５の中央には、略楕円形状に形成された第二窓部２６が設けられている。
【００３５】
上記係止手段１２は、上記シート１１の長さ方向における端部１３に形成された一対の係合舌片２８，２８と、上記シート１１に形成された上記係合舌片２８，２８が係合するスリット２９，２９とにより形成され、上記係合舌片２８は、先端２４側に向うに連れて幅寸法が大きくなるように略台形状に形成されている。
【００３６】
上記シート１１の長さ方向における端部１３とは、上記背景形成面部１７の上記窓形成面部１８と連接していない側であり、上記背景形成面部１７の長さ方向における両端部に１つずつ設けられている。
【００３７】
上記スリット２９は、略コの字状の切込みとして形成され、上記窓形成面部１８の第二窓形成面部２５側端部において、上記窓形成面部１８の長さ方向における両端部に１つずつ、上記係合舌片２８と対応する位置に設けられ、係止されている。
【００３８】
以下、本実施の形態に係る自立型広告表示体１０の作用について図面を参照して説明する。
自立型広告表示体１０は、図１および図２に示す上記シート１１を、一面１５側に向って、上記突状面部２０を、上記突状面部２０と上記窓形成面部１８との境界線３６で上記シート１１内方へ折り畳んだ後、上記第二窓形成面部２５を、上記窓形成面部１８と上記第二窓形成面部２５との第二連接線３７を介して上記シート１１内方へ折り畳む。
【００３９】
続いて、上記窓形成面部１８をわずかに湾曲させながら、上記背景形成面部１７を、上記背景形成面部１７と上記窓形成面部１８との連接線２１を介して、上記湾曲を保持する程度に一面１５側に折り畳む。さらに、上記背景形成面部１７における幅寸法の中央線３５を一面１５側にくの字状に折り畳むと共に、上記係合舌片２８，２８を折り畳んで上記スリット２９，２９へ挿入して係合することにより、自立型広告表示体１０が組み立てられる。
【００４０】
図３及び図５に示すように、上記のようにして得られた自立型広告表示体１０は、全体が略三角柱形状に形成される。また、例えば利用者や来店客が上記窓形成面部１８より覗き込むことにより、上記窓部２２の下端の一側面から中央に向って飛び出すように描かれた上記犬の頭部３３の表示物１４を見ることが出来る。
【００４１】
上記窓部２２越しには、上記犬の頭部３３の表示物１４が描かれた上記突出部２３とは対向する下端の他側面において、上記人物３４の表示物１４が、折り畳んだ箇所が復原しようとする反発力により、上記窓形成面部１８よりもわずかに離間して奥側に見ることが出来る。
【００４２】
さらに、上記人物３４の表示物１４の奥側には、上記第二窓形成面部２５が湾曲して形成されていることを見ることが出来ると共に、第二窓部２６越しに背景１６を見ることが出来る。
【００４３】
また、図４に示すように、上記窓形成面部１８とは反対側から自立型広告表示体１０を見ることにより、商品説明３１や商品写真３２の表示物１４を見ることが出来る。
【００４４】
従って、看者は、自立型広告表示体１０を見ることにより。立体的な奥行のあるディスプレイを視認することが出来ることから、広告宣伝の印象を強く受けることとなる。
【００４５】
本実施の形態においては、上記表示物１４は、風景の背景１６、商品説明３１、商品写真３２、犬の頭部３３、人物３４である例を説明したが、特にこれに限定されず、上記シート本体１９全体に装飾などの表示物が印刷されていても良い。
【産業上の利用可能性】
【００４６】
本考案に係る自立型広告表示体は、小売店における販促活動や土産物として利用することが出来るため、産業上の利用可能性を有している。
【符号の説明】
【００４７】
１０    自立型広告表示体
１１    シート
１２    係止手段
１３    端部
１４    表示物
１５    一面
１６    背景
１７    背景形成面部
１８    窓形成面部
１９    シート本体
２０    突状面部
２１    連接線
２２    窓部
２３    突出部
２４    先端
２５    第二窓形成面部
２６    第二窓部
２８    係合舌片
２９    スリット
３０    他面
３１    商品説明
３２    商品写真
３３    犬の頭部
３４    人物
３５    中央線
３６    境界線
３７    第二連接線
４０    背面パネル部
４１    本体部
【図１】
0003195059.tif 000003
【図２】
0003195059.tif 000004
【図３】
0003195059.tif 000005
【図４】
0003195059.tif 000006
【図５】
0003195059.tif 000007